(57)【要約】
【課題】　簡単に組み立て即座に使用することができ、また簡単にばらして仕舞うことが可能な簡易トイレを提供する。
【解決手段】　４枚の支持体２ａ〜２ｄ組み合わせて形成される支持箱体２と、さらに支持箱体２の一開放端側に固定され、汚物袋９を装着可能な貫通開口部６をそのほぼ中央に有する便座５とを備えている。
【選択図】　　　　図１
0003099957.tif 000002
【実用新案登録請求の範囲】
【請求項１】
支持体の２つの切り欠き溝を嵌合させて形成される支持箱体と、
　汚物袋装着用の貫通開口部を有しており、さらに裏面側に溝部を備えていて、該溝部が上記支持箱体の一開放端側に勘合してこれに固定される便座と
を有することを特徴とする簡易トイレ。
【請求項２】
上記便座が折りたたみ可能な２以上の枠体よりなり、上記貫通開口部に装着された汚物袋の端部を折りたたんだその枠体間に挟み込んで、汚物袋を装着することを特徴とする請求項１記載の簡易トイレ。
【請求項３】
上記便座に、その貫通開口部の閉塞ができるように装着されて、開放した際に背もたれとなるように立設される蓋体を備えることを特徴とする請求項１又は請求項２記載の簡易トイレ。
【考案の詳細な説明】
【技術分野】
【０００１】
　本考案は、組み立て式簡易トイレに関する。
【背景技術】
【０００２】
　従来の組み立て式簡易トイレは、災害にあった際やレジャー時などに用いられる。
【０００３】
　そのような組み立て式簡易トイレには、種々の構造のものがあり、例えば、少なくとも左右端上下に切り欠き部が設けられた幅狭の板体を、該切り欠き部を嵌合せしめて、複数段上に組み上げることで、便座の下を支える支持箱体が形成されている構造を有するものがある（後述する特許文献１参照）。
【特許文献１】特開２０００−１４５９６
【考案の開示】
【考案が解決しようとする課題】
【０００４】
　しかし、上記支持箱体を組み立て終わるまでに相当な時間を要し、災害時などにすぐに使用しようとしても、それができない。特に災害時などに即座に沢山のトイレ施設などが必要となった場合、それに対応することが難しくなる。また組み立てに手間暇がかかるということは、反対にばらして仕舞う際にも手間暇がかかると言うことである。
【０００５】
　本考案は、以上のような問題に鑑み創案されたもので、簡単に組み立て即座に使用することができ、また簡単にばらして仕舞うことが可能な簡易トイレを提供せんとするものである。
【課題を解決するための手段】
【０００６】
　そのため本考案に係る簡易トイレは、
　支持体の２つの切り欠き溝を嵌合させて形成される支持箱体と、
　汚物袋装着用の貫通開口部を有しており、さらに裏面側に溝部を備えていて、該溝部が上記支持箱体の一開放端側に勘合してこれに固定される便座と
を有することを基本的特徴としている。
【０００７】
　上記構成によれば、例えば四角形状の上下２つのヶ所から左右辺に沿って平行な切り欠き溝が夫々設けられている３枚の支持体を用意し、その切り欠き溝を嵌合させ合うことで、三角柱状の支持箱体が作成できる。また後述する実施例に示されるように、四角形状の上又は下の一方から左右辺に沿って平行な切り欠き溝が夫々設けられている４枚の支持体を用意し、その切り欠き溝を互いに嵌合させ合うことで、四角柱状の支持箱体が作成できる。そして、上記貫通開口部を有する便座は、裏面側の溝部を、上記支持箱体の一開放端側に勘合させてこれに固定させる。この際支持箱体の固定側に、便座側の溝部に勘合し易い凸部を設けておき、該凸部を便座側の溝部に勘合させることで、便座を支持箱体に固定できるようにしても良い。そして便座の貫通開口部に汚物袋を装着することで、簡易トイレとしてすぐに使用することができるようになる。
【０００８】
　上記便座は、（ヒンジなどにより）折りたたみ可能な２以上の枠体で構成し、上記貫通開口部に装着された汚物袋の端部を折りたたんだその枠体間に挟み込んで、汚物袋を装着することができるようにしても良い。
【０００９】
　さらに上記便座には、その貫通開口部の閉塞ができるように装着された蓋体が備えられており、開放した際に背もたれとなるように立設できる構造とすると、使用しない時に汚物の臭いを拡散させない蓋と使用時に背もたれとなる構造のものとが併用できるようになる。
【考案の効果】
【００１０】
　本考案の請求項１〜請求項３記載の構成によれば、簡単に組み立て即座に使用することができ、また簡単にばらして仕舞うことが可能な簡易トイレ可能な簡易トイレを提供できるという優れた効果を奏し得る。
【考案を実施するための最良の形態】
【００１１】
　以下、本考案の実施の形態を図示例と共に説明する。
　図１及び図２は、本考案を実施するための最良の形態構成を示している。
【００１２】
　図１は、本簡易トイレ１の支持箱体２と、便座５の組み立て状態を示す説明図であり、また図２は、組上がった簡易トイレ１に、汚物袋９の装着の仕方を示す説明図である。
【００１３】
　本簡易トイレ１は、図１に示すように、４枚の支持体２ａ〜２ｄ組み合わせて形成される支持箱体２と、さらに支持箱体２の一開放端側に固定され、そのほぼ中央に貫通開口部６を有する便座５とを備えている。
【００１４】
　上記支持箱体２は、上述のように四角形状の支持体２ａ〜２ｄによって構成される。すなわち、該支持体２ａ〜２ｄには、その上部から左右辺に沿って平行な切り欠き溝３ａ〜３ｈが夫々設けられており、その切り欠き溝を互いに嵌合させ合うことで、四角柱状の支持箱体２に組み立てあげられることになる。
【００１５】
　また支持体２ｂ及び２ｄの上部には、後述する便座５裏面側、貫通開口部６の両側に設けられた溝部７ａ及び７ｂに勘合できる凸部４ｂ及び４ｄが設けられている。
【００１６】
　上記便座５は、図面後方側でヒンジ（図示無し）により折りたたみ可能な２つの枠体５ａ及び５ｂで構成されており、そのほぼ中央部を貫通するように、貫通開口部６が設けられている。該貫通開口部６に汚物袋９が装着されるのであるが、その装着の仕方は、後述する。
【００１７】
　また便座５を構成する枠体５ｂの裏面側には、上記貫通開口部６を挟んで両側に上記凸部４ｂ及び４ｄと勘合できる溝部７ａ及び７ｂが穿設されている。
【００１８】
　他方便座５を構成する枠体５ａの表面側には、ある一定角度開いたらそれ以上開動せず、そこで固定されるヒンジ（図示無し）により、背もたれともなる蓋８が取り付けられている。
【００１９】
　次に、上記図示例に係る簡易トイレの組み立て及び使用準備のやり方について説明する。
【００２０】
　まず、図１に示すように、支持体２ｂ及び２ｄの凸部４ｂ及び４ｄを下に、また切り欠き溝３ｃ、３ｄ、３ｇ及び３ｈを上に向けて該支持体２ｂ及び２ｄを、適当な距離離間させて、２つ折りにして裏返された便座５の上に置く。さらにその上から切り欠き溝３ａ、３ｂ、３ｅ及び３ｆを下に向けて該支持体２ａ及び２ｃをセットする。そして支持体２ａ及び２ｃの切り欠き溝３ａ、３ｂ、３ｅ及び３ｆと、他方の支持体２ｂ及び２ｄの切り欠き溝３ｈ、３ｃ、３ｄ及び３ｇが勘合するように、下方に押し込み、支持箱体２を組み立てる。
【００２１】
　それと同時に支持体２ｂ及び２ｄの凸部４ｂ及び４ｄを、便座５の溝部７ａ及び７ｂに勘合させ、支持箱体２と便座５とを固定する。
【００２２】
　このようにして組上がった簡易トイレ１を上下反対にひっくり返す。そして、便座５上に取り付けられた蓋８を開け、図２に示すように、立設させる。
【００２３】
　次に便座５の貫通開口部６に、汚物袋９を装着する。該汚物袋９の上端は、四方にベロ部９ａ〜９ｄが設けられており、該ベロ部９ａ〜９ｄを、貫通開口部６周りの便座５の枠体５ａを覆うように引き出して、そのベロ部９ａ、９ｂ及び９ｄを、枠体５ａ及び５ｂの間に挟み込み、汚物袋９を貫通開口部６に装着する。このようにすることで、貫通開口部６から汚物袋９が容易に抜け落ちたりすることがなくなる。その際ベロ部９ｃは、蓋８側に延出させておく。そうすることで、汚物袋９を処分する際に、該ベロ部９ｃを指でつまみ、枠体５ａを少し浮かせれば、貫通開口部６から簡単に汚物袋９が引き抜けることになる。
【００２４】
　尚この汚物袋９の中には、糞尿をゼリー状に固め、且つ消臭作用のある脱臭固化剤が予め入れられている（使用の際或いは使用後に入れても良い）。
【００２５】
　以上のようにセットできたら、上記蓋８を貫通開口部６を閉塞するように、倒しておく。そして該簡易トイレ１を使用する場合は、この蓋８を開け、それを背もたれにして腰掛け、汚物袋９内に排泄し、（必要に応じて上記脱臭固化剤と同じ成分のパウダや脱臭剤パウダをその上にかけ）再び蓋８を倒して貫通開口部６を閉塞する。
【００２６】
　上記汚物袋９に一定量の汚物が溜まったら、蓋８を開けて、汚物袋９のベロ部９ｃを指でつまみ、枠体５ａを少し浮かせて、貫通開口部６から汚物袋９を引き抜く。そしてその汚物袋９を処分し、新しい汚物袋９を上記の要領で、貫通開口部６に装着する。
【００２７】
　この簡易トイレ１を仕舞う場合には、以上と逆の要領で、まず、汚物袋９を取り出して処分し、便座５の溝部７ａ及び７ｂから、支持体２ｂ及び２ｄの凸部４ｂ及び４ｄを引き抜き、便座５と支持箱体２を分離する。そして、便座５は枠体５ａ及び５ｂを２枚折りしたまま、蓋８を倒して貫通開口部６に閉塞させると、１枚の平たい板状になる。他方支持体２ａ及び２ｃ、又は支持体２ｂ及び２ｄを引っ張り、支持体２ａ及び２ｃの切り欠き溝３ａ、３ｂ、３ｅ及び３ｆと、他方の支持体２ｂ及び２ｄの切り欠き溝３ｈ、３ｃ、３ｄ及び３ｇとの嵌合を解く。すると、支持箱体２はばらされ、４枚の平たい支持体２ａ〜２ｄになる。これらを板状体で重ね合わせ、運んだり、仕舞ったりすることになる。
【００２８】
　以上の実施形態構成によれば、簡単に組み立てて使用することができ、また簡単にばらして仕舞うことが可能な簡易トイレが提供できるようになる。
【００２９】
　尚、本考案の簡易トイレは、上述の図示例にのみ限定されるものではなく、本考案の要旨を逸脱しない範囲内において種々変更を加え得ることは勿論である。
【図面の簡単な説明】
【００３０】
【図１】本簡易トイレ１の支持箱体２と便座５の組み立て状態を示す説明図である。
【図２】組上がった簡易トイレ１に汚物袋９の装着の仕方を示す説明図である。
【符号の説明】
【００３１】
　　１　　　　　簡易トイレ
　　２　　　　　支持箱体
　　２ａ〜２ｄ　支持体
　　３ａ〜３ｈ　切り欠き溝
　　４ｂ、４ｄ　凸部
　　５　　　　　便座
　　５ａ、５ｂ　枠体
　　６　　　　　貫通開口部
　　７ａ、７ｂ　溝部
　　８　　　　　蓋
　　９　　　　　汚物袋
　　９ａ〜９ｄ　ベロ部
【図１】
0003099957.tif 000003
【図２】
0003099957.tif 000004